【手続補正書】
【提出日】平成26年4月18日(2014.4.18)
【手続補正１】
【補正対象書類名】特許請求の範囲
【補正対象項目名】全文
【補正方法】変更
【補正の内容】
【特許請求の範囲】
【請求項１】
方法において、
組織を組織消化装置に積込むステップと；
前記組織が積込まれた前記組織消化装置を傾斜させるステップと；
前記傾斜後に前記組織を消化するステップと
を含むことを特徴とする、方法。
【請求項２】
請求項１に記載の方法において、組織を組織消化装置に積込む前記ステップが、
穿孔のある組織収容部材に組織を積込むステップと；
前記穿孔のある部材を前記組織消化装置に水平に積込むステップと
を含むことを特徴とする、方法。
【請求項３】
請求項２に記載の方法において、
前記消化ステップ後に前記組織消化装置を傾斜させて実質的に水平の位置まで戻すステップと；
前記組織消化装置から前記穿孔のある部材を取り出すステップと
をさらに含むことを特徴とする、方法。
【請求項４】
請求項１に記載の方法において、前記傾斜が、前記組織消化装置を水平から約１０〜約９０度傾斜させることを含むことを特徴とする、方法。
【請求項５】
請求項１に記載の方法において、傾斜後に前記組織を消化する前記ステップが：
前記消化液の温度を２１０°Ｆ以下に維持するステップと；
前記組織消化装置内の圧力を大気圧に維持するステップと
を含むことを特徴とする、方法。
【請求項６】
請求項５に記載の方法において、前記消化液の温度を２１０°Ｆ以下に維持する前記ステップが、前記消化液内に加熱素子を配置するステップを含むことを特徴とする、方法。
【請求項７】
請求項１に記載の方法において、傾斜後に前記組織を消化する前記ステップが、前記消化液の温度を約３００°Ｆに維持するステップを含むことを特徴とする、方法。
【請求項８】
請求項７に記載の方法において、前記組織消化装置内の圧力を約６５ｐｓｉに維持するステップをさらに含むことを特徴とする、方法。
【請求項９】
請求項７に記載の方法において、前記消化液の温度を約３００°Ｆに維持する前記ステップが、前記消化液内の加熱素子を配置するステップを含むことを特徴とする、方法。
【請求項１０】
請求項１に記載の方法において、混合手段により前記消化液を撹拌するステップをさらに含むことを特徴とする、方法。
【請求項１１】
請求項１０に記載の方法において、前記混合手段が、前記消化液に配置されたプロペラによって形成されることを特徴とする、方法。
【請求項１２】
請求項１に記載の方法において、前記傾斜後に前記組織消化装置を揺動することをさらに含むことを特徴とする、方法。
【請求項１３】
請求項２に記載の方法において、
前記穿孔のある組織収容部材から分離されたプロペラにより前記消化液を撹拌するステップをさらに含むことを特徴とする、方法。
【請求項１４】
装置において、
支持部材と；
前記支持部材に結合された組織消化容器であって、
消化液を保持する液体保持部分；および
前記液体保持部分に組織を挿入するための組織挿入部分
を含む組織消化容器と；
を含み、
前記組織消化容器が、前記組織消化容器に組織を挿入し得る積込み位置から、前記組織が前記消化液によって消化される組織消化位置まで傾斜することを特徴とする、装置。
【請求項１５】
請求項１４に記載の装置において、前記組織消化容器が前記支持部材に枢動可能に結合されていることを特徴とする、装置。
【請求項１６】
請求項１４に記載の装置において、
前記組織消化容器に取り出し式に挿入可能であり、かつ消化中に組織を保持するバスケット様部材であって、穿孔と、前記組織消化容器が前記組織消化位置にあるときに、前記穿孔を通過するには大きすぎる組織が集まる、傾斜面を備える組織収集領域とを含むバスケット様部材
をさらに含むことを特徴とする、装置。
【請求項１７】
請求項１６に記載の装置において、前記バスケット様部材がレールを含み、および前記組織消化装置が内部棚を含み、前記レールおよび前記棚が相互に作用して、前記組織消化容器内での前記バスケット様部材の動きを支持しかつ制限することを特徴とする、装置。
【請求項１８】
請求項１４に記載の装置において、前記消化液の表面積が、前記組織消化容器が前記積込み位置から前記傾斜した組織消化位置まで傾斜すると、小さくなることを特徴とする、装置。
【請求項１９】
請求項１４に記載の装置において、前記組織消化容器が前記積込み位置から前記傾斜した組織消化位置に傾斜するときに、前記組織挿入部分が前記液体保持部分の上方で回転されることを特徴とする、装置。
【請求項２０】
請求項１４に記載の装置において、前記組織消化容器が前記積込み位置において実質的に水平に配置されていることを特徴とする、装置。
【請求項２１】
請求項１４に記載の装置において、前記組織消化容器が、前記傾斜した組織消化位置にあるときに、水平から約１０〜約９０度傾斜されることを特徴とする、装置。
【請求項２２】
請求項１４に記載の装置において、前記組織消化容器が、前記傾斜した組織消化位置にあるときに、水平から３３〜３８度傾斜されることを特徴とする、装置。
【請求項２３】
請求項１４に記載の装置において、前記組織消化容器が、前記組織消化容器を前記組織消化位置にしっかりと保持することを特徴とする、装置。
【請求項２４】
請求項１４に記載の装置において、
前記組織消化容器に動作可能に結合されかつ前記液体保持部分に配置されたプロペラ駆動ミキサー
をさらに含むことを特徴とする、装置。
【請求項２５】
請求項２４に記載の装置において、
前記組織消化容器に取り出し式に挿入可能でありかつ消化中に組織を保持する、穿孔のあるバスケットであって、前記穿孔のあるバスケットが前記組織消化容器に挿入されているときに、前記プロペラ駆動ミキサーを収容する凹部分を含む、穿孔のあるバスケット
をさらに含むことを特徴とする、装置。
【請求項２６】
請求項２４に記載の装置において、前記組織消化容器が前記傾斜した組織消化位置にあるときに、前記プロペラ駆動ミキサーが実質的に垂直の向きに方位付けされていることを特徴とする、装置。
【請求項２７】
請求項１４に記載の装置において、
前記組織消化容器に動作可能に結合されかつ前記液体保持部分に配置された少なくとも１つの加熱素子
をさらに含むことを特徴とする、装置。
【請求項２８】
請求項２７に記載の装置において、前記少なくとも１つの加熱素子が前記消化液を加熱し、かつ消化中、前記消化液の温度を２１０°Ｆ以下に維持し、および消化中、前記組織消化容器内の圧力が大気圧に維持されることを特徴とする、装置。
【請求項２９】
請求項２７に記載の装置において、前記少なくとも１つの加熱素子が前記消化液を加熱し、かつ前記消化液の温度を約３０２°Ｆにおよび６５ｐｓｉに維持することを特徴とする、装置。
【請求項３０】
装置において、
動物またはヒトの組織を消化するための消化液を保持する組織消化容器と；
前記組織消化容器に取り出し式に挿入可能でありかつ消化中に前記組織を保持する、穿孔のあるバスケットであって、傾斜面を備える組織収集領域を含み、前記組織が消化されている最中に、前記穿孔を通過するには大きすぎる組織が前記組織収集領域に集まる、穿孔のあるバスケットと
を含むことを特徴とする、装置。
【請求項３１】
請求項３０に記載の装置において、前記装置を、前記穿孔のあるバスケットを前記組織消化容器に出し入れし得る実質的に水平の積込み位置から、前記組織が前記消化液によって消化される組織消化位置まで傾斜させる手段をさらに含むことを特徴とする、装置。
【請求項３２】
組織消化装置において、
支持部材と；
組織消化容器と
を含み、
前記組織消化装置が、前記支持部材が支持面に位置決めされている間に、非垂直および非水平の向きに傾斜されている前記組織消化容器によって規定された組織消化位置を含むことを特徴とする、組織消化装置。
【請求項３３】
組織消化容器を含む組織消化システムに組織を保持するバスケット部材において、
全体的に細長いシリンダー状本体であって、前記本体が、傾斜面を備える組織収集領域を含み、前記組織が消化されている最中に、前記穿孔を通過するには大きすぎる組織が前記組織収集領域に集まり、および前記バスケットが、前記組織消化容器に取り出し可能に挿入されるように適合されている、本体
を含むことを特徴とする、バスケット部材。
【請求項３４】
請求項１６に記載の装置において、
前記組織消化容器に動作可能に結合されかつ前記液体保持部分に配置されたプロペラ駆動ミキサーであって、前記バスケット様部材と接触しないプロペラ駆動ミキサー
をさらに含むことを特徴とする、装置。